(57)【要約】【課題】スラブ底に断熱材を貼り付ける手間を省略して、スラブ型枠の建て込み作業の時間を短縮するとともに、断熱材がスラブコンクリートから剥離することを抑止することを目的とする。【解決手段】鉄筋コンクリート造のスラブを形成するためのスラブ型枠４において、下部には板状のスラブ型枠基材７が備えられ、スラブ型枠基材７の上方には複数のスラブ主筋９が配筋され、スラブ主筋９はスラブ型枠基材７に定着しているスペーサー８によって吊り下げ或いは支持され、スラブ型枠基材７は断熱材から形成されている。【選択図】      図３
2004270259.tif 000002
【特許請求の範囲】
【請求項１】
鉄筋コンクリート造のスラブを形成するためのスラブ型枠において、
下部には板状のスラブ型枠基材が備えられ、該スラブ型枠基材の上方には複数のスラブ主筋が配筋され、該スラブ主筋は前記スラブ型枠基材に定着しているスペーサーによって吊り下げ或いは支持され、前記スラブ型枠基材は断熱材から形成されていることを特徴とするスラブ型枠。
【請求項２】
請求項１記載のスラブ型枠において、
前記スラブ主筋は直棒状の上端筋と該上端筋に平行する直棒状の下端筋とから構成され、該上端筋と該下端筋との間にはラチス材が介装されていることを特徴とするスラブ型枠。
【請求項３】
請求項１または２記載のスラブ型枠において、
前記スペーサーは、ラチス状に形成されていることを特徴とするスラブ型枠。
【請求項４】
請求項１から３のいずれかに記載のスラブ型枠において、
隣り合う前記スラブ主筋は、該スラブ主筋の間に架設された横補剛材により連結されていることを特徴とするスラブ型枠。
【請求項５】
請求項１から４のいずれかに記載のスラブ型枠において、
前記スラブ型枠基材の底面には、鋼板が被覆されていることを特徴とするスラブ型枠。
【請求項６】
鉄筋コンクリート造からなるスラブ構造において、
請求項１から５のいずれかに記載の前記スラブ型枠と該スラブ型枠の上方に形成されたスラブコンクリートとが一体に形成されていることを特徴とするスラブ構造。
【発明の詳細な説明】
【０００１】
【発明の属する技術分野】
本発明は、鉄筋コンクリート造のスラブを形成するための打ち込み式のスラブ型枠およびスラブ構造に関する。
【０００２】
【従来の技術】
従来、事務所ビルや工場、倉庫等の建築物の鉄筋コンクリート造デッキスラブを形成する際には、打ち込み式のスラブ型枠として鉄筋付デッキが提供されている。これは、鉄筋とラチス材とによって形成されたトラス材を容易に設置させる受け部を鋼製のデッキプレートの上面に設けられたデッキや、予め上記したトラス材が鋼製のデッキプレートの上面に固定されたデッキ等である。この鉄筋付デッキを利用してコンクリート造スラブを形成する場合、鉄筋付デッキを梁で囲まれたスパンに隙間無く敷き並べ、デッキプレート上のトラス材と直交する方向に配力筋を配筋し、デッキプレート上にコンクリートを打設する。デッキプレートは打ち込み式であるため型枠脱型の作業が省略される。また、スラブ主筋は工場製作によるため現場でのスラブ配筋の手間も大幅に軽減される。これによって、工期の短縮を図ることができる（例えば、特許文献１、特許文献２参照。）。
【０００３】
【特許文献１】
特開平１０−１６９０６５号公報  （第２−３頁、第１図）
【特許文献２】
特開２００１−３１７１４７号公報  （第４−６頁、第１図）
【０００４】
【発明が解決しようとする課題】
しかしながら、上記した従来の鉄筋付デッキによると、スラブ底に断熱材を取り付ける場合には、デッキプレートに複数のビス孔を形成するとともにデッキプレート底面に板状の断熱材を配置し、断熱材の底面からビスを打ち込み、このビスをビス孔に挿通させて固定している。上記した断熱材をデッキプレート底に取り付ける作業には相当の手間が必要であり時間もかかるという問題が存在する。また、断熱材はスラブコンクリートに定着しているビスによって支持されているため、コンクリート打設時の圧力によってビスが抜け落ちないようにするために何らかの措置が必要であり、ビスが抜け落ちる断熱材がデッキプレートから剥離するとという問題が存在する。
【０００５】
本発明は、上記した従来の鉄筋付デッキの問題が考慮されたものであり、スラブ底に断熱材を貼り付ける手間を省略して、スラブ型枠の建て込み作業の時間を短縮することを目的とする。また、断熱材がスラブコンクリートから剥離することを抑止することを目的とする。
【０００６】
【課題を解決するための手段】
請求項１記載の発明は、鉄筋コンクリート造のスラブを形成するためのスラブ型枠において、下部には板状のスラブ型枠基材が備えられ、該スラブ型枠基材の上方には複数のスラブ主筋が配筋され、該スラブ主筋は前記スラブ型枠基材に定着しているスペーサーによって吊り下げ或いは支持され、前記スラブ型枠基材は断熱材から形成されていることを特徴としている。
【０００７】
このような特徴により、スラブ型枠基材は断熱材からなるため、スラブ底に断熱材を貼り付ける手間は省略される。また、上部がスラブコンクリート内に定着するスペーサーの下部はスラブ型枠基材に定着されているため、スラブ型枠基材とスラブコンクリートとはスペーサーを介して一体に形成されている。
【０００８】
請求項２記載の発明は、請求項１記載のスラブ型枠において、前記スラブ主筋は直棒状の上端筋と該上端筋に平行する直棒状の下端筋とから構成され、該上端筋と該下端筋との間にはラチス材が介装されていることを特徴としている。
【０００９】
このような特徴により、スラブ主筋は上端筋、下端筋およびラチス材によりトラス状に形成され、スラブ主筋は撓みに対して強くなり、上端筋および下端筋にかかる負担は軽減される。
【００１０】
請求項３記載の発明は、請求項１または２記載のスラブ型枠において、前記スペーサーは、ラチス状に形成されていることを特徴としている。
【００１１】
このような特徴により、スペーサーはスラブ主筋のかぶり厚さを確保するとともにスラブ主筋の撓みも軽減する。
【００１２】
請求項４記載の発明は、請求項１から３のいずれかに記載のスラブ型枠において、隣り合う前記スラブ主筋は、該スラブ主筋の間に架設された横補剛材により連結されていることを特徴としている。
【００１３】
このような特徴により、スラブ主筋は一定の間隔を保って配列され、スラブ主筋の乱れは軽減される。
【００１４】
請求項５記載の発明は、請求項１から４のいずれかに記載のスラブ型枠において、前記スラブ型枠基材の底面には、鋼板が被覆されていることを特徴としている。
【００１５】
このような特徴により、スラブ型枠基材の剪断および撓みに対する強度は増大する。
【００１６】
請求項６記載の発明は、鉄筋コンクリート造からなるスラブ構造において、請求項１から５のいずれかに記載の前記スラブ型枠と該スラブ型枠の上方に形成されたスラブコンクリートとが一体に形成されていることを特徴としている。
【００１７】
このような特徴により、スラブのスラブ主筋の配筋は工場製作で行われるため、現場でのスラブ配筋の作業は軽減される。また、スラブ型枠基材は打ち込み式のスラブ型枠であるため、スラブコンクリート打設後の型枠脱型の作業は省略される。さらに、スペーサーによってスラブ主筋のかぶり厚さは確実に確保される。
【００１８】
【発明の実施の形態】
以下、本発明に係るスラブ型枠およびスラブ構造の第１、第２、第３および第４の実施の形態について、図面に基づいて説明する。
【００１９】
〈第１の実施の形態〉
図１、図２はそれぞれ本発明の第１の実施の形態を説明する図面であり、図１は鉄筋コンクリート造あるいは鉄骨鉄筋コンクリート造からなる梁１で囲まれたスパンに形成されるスラブ２の主筋方向の断面図であり、図２はスラブ２の配力筋方向の断面図である。図１、図２において符号３は梁１を形成するための梁型枠であり、符号４はスラブ２を形成するためのスラブ型枠である。
【００２０】
図１、図２に示すように、梁１を形成するための梁型枠３は、箱状に組み立てられたベニヤ板５と、梁１の軸方向に延在している横桟木６ａと、横桟木６ａに直交する方向に延在している縦桟木６ｂとから構成されている。横桟木６ａおよび横桟木６ｂは、ベニヤ板５の外縁に沿ってベニヤ板５の外面に釘付けされている。隣り合う二組の梁型枠３の間にはスラブ型枠４が配置されており、梁型枠３の上端部に設けられた横桟木６ａの上にスラブ型枠４の端部が載せられ釘止めされている。
【００２１】
図３、図４はそれぞれ本発明の第１の実施の形態を説明する図面であり、図３は鉄筋コンクリート造のスラブ２を形成するために梁１間に建て込まれるスラブ型枠４の主筋方向の断面図であり、図２はスラブ型枠４の配力筋方向の側面図である。
【００２２】
図３、図４に示すように、スラブ型枠４を形成する矩形板状のスラブ型枠基材７は梁１間に架設されており、スラブ型枠基材７は、例えば発泡ウレタンや発泡樹脂系のポリスチレンフォームや木毛セメント板や木繊セメント板等の断熱材から形成されている。また、スラブ型枠基材７は流動性に優れた断熱材料が固化したものである。スラブ型枠基材７内には、丸鋼からなる複数のスペーサー８の脚部がそれぞれ定着されている。スペーサー８は一本の丸鋼を屈曲させて三角状の複数の山が形成されたものであり、スペーサー８の頂部はスラブ型枠基材７の上方に突設されている。複数のスペーサー８は一定の間隔をあけて配列されており、スラブ型枠基材７の上方に突設されているスペーサー８には、スペーサー８と直交する方向に延在するスラブ主筋９がそれぞれ挿通されている。
【００２３】
スラブ主筋９は、直物の異形棒鋼からなる上端筋１０と、上端筋１０の下方に間隔をあけて配置され上端筋１０に平行する直物の異形棒鋼からなる下端筋１１と、上端筋１０と下端筋１１との間に介装され稲妻状に屈曲されているラチス材１２とから構成されている。上端筋１０はスペーサー８頂部の折れ曲がり点に挿通されており、上端筋１０とスペーサー８とは固定され、上端筋１０はスペーサー８に吊り下げられている。ラチス材１２の複数の屈曲部は、上端筋１０および下端筋１１にそれぞれ接合されており、上端筋１０、下端筋１１およびラチス材１２は一体に形成されている。上端筋１０、下端筋１１およびラチス材１２が一体形成されたスラブ主筋９は、一定の間隔をあけてスラブ型枠基材７の上方に配列されており、スラブ型枠基材７の上面と下端筋１１との間には所定のかぶり厚さが確保されている。
【００２４】
スラブ主筋９の上方には、スラブ主筋９と直交する方向に延在する直物の異形棒鋼からなるスラブ配力筋１３が間隔をあけて複数配筋されている。スラブ配力筋１３は、上端筋１０の上に配置されて上端筋１０に固定されている。また、スラブ主筋９の両端部にはクランクした端部材１４がそれぞれ設けられており、端部材１４の下部は梁型枠３の上端部に支持されている。
【００２５】
一方、図１、図２に示すように、梁型枠３内には梁主筋１５とスタラップ筋１６からなる梁筋１７が組み立てられている。梁筋１７の上方には、Ｌ形の端部定着筋１８或いは直物のジョイント筋１９が梁１の軸方向と直交する方向に配筋されている。端部定着筋１８のＬ形に屈曲した一端部は梁１内に定着され、他端はスラブ２内に定着されている。また、ジョイント筋１９の両端はそれぞれスラブ２内に定着されている。梁型枠３内には、梁筋１７と端部定着筋１８のＬ形に屈曲した一端部とジョイント筋１９の中央部とを一体に梁コンクリート２０が形成されている。また、スラブ型枠４の上方には、スラブ主筋９とスラブ配力筋１３と端部定着筋１８の他端部とジョイント筋１９の両端部とを一体にスラブコンクリート２１が形成されている。
【００２６】
次に、上記したスラブ型枠４および該スラブ型枠４を使用したスラブ構造の施工方法について説明する。
【００２７】
図１、図２に示すように、まず、梁型枠３を図示せぬ柱型枠に架設させて所定の位置に配置し、梁型枠３の下方から図示せぬ梁支保工で支持する。次に、梁型枠３で囲まれたスパンにスラブ型枠４を配置し、スラブ型枠４の端部を梁型枠３の上端部に載せてスラブ型枠４を梁型枠３間に架け渡す。スラブ型枠４を構成するスラブ型枠基材７は、所定の大きさの型に複数のスペーサー８を所定の間隔で配置し、配流動性のある材料を型に流し込み、固化させることで成形する。スラブ主筋９の両端部に設けられた端部材１４を梁型枠３の上端部に支持させるとともに、スラブ型枠４の端部と梁型枠３の上端部とを釘止めして固定する。
【００２８】
次に、梁型枠３内に梁筋１７を組み立てて、スラブ主筋９の上にスラブ配力筋１３を所定の間隔で配筋し、梁１とスラブ２との接合部に端部定着筋１８或いはジョイント筋１９を配筋する。鉄筋配筋完了後、梁型枠３内およびスラブ型枠４内に所定の強度のフレッシュコンクリートを打設し、梁コンクリート２０およびスラブコンクリート２１をそれぞれ一体に形成し、梁１及びスラブ２をそれぞれ成形する。その後、適当な養生期間をおいて梁コンクリート２０およびスラブコンクリート２１を固化させる。そして、図示せぬ梁支保工および梁型枠３を脱型する。
【００２９】
上記した構成からなるスラブ型枠４およびスラブ構造によれば、スラブ型枠基材７は断熱材からなるため、スラブ２底に断熱材を貼り付ける手間は省略される。これによって、スラブ型枠４の建て込み時間が短縮され、工期短縮を図ることができる。また、上端筋１０と下端筋１１との間にはラチス材１２が介装されているため、スラブ主筋９は撓みに対して強くなり、上端筋１０および下端筋１１にかかる負担は軽減される。これによって、上端筋１０および下端筋１１の径の太さは小さくなってスラブ型枠４は軽量化され、スラブ型枠４を配置する作業員の負担は軽減される。また、スラブ２のスラブ主筋９の配筋は工場製作で行われるため、現場での鉄筋配筋の作業は軽減される。また、スラブ型枠基材７は打ち込み式のスラブ型枠４であるため、スラブコンクリート２１の打設後の型枠脱型の作業は省略される。さらに、スペーサー８によってスラブ主筋９のかぶり厚さは確実に確保される。
【００３０】
〈第２の実施の形態〉
図５、図６はそれぞれ本発明の第２の実施の形態を説明する図面であり、図５は鉄筋コンクリート造のスラブ１００を形成するために梁１０１間に建て込まれるスラブ型枠１０２の主筋方向の断面図であり、図６はスラブ型枠１０２の配力筋方向の側面図である。
【００３１】
図５、図６に示すように、スラブ型枠１０２を形成する断熱材からなる矩形板状のスラブ型枠基材１０３は梁１０１間に架設されており、スラブ型枠基材１０３内には丸鋼からなる複数のスペーサー１０４の脚部がそれぞれ定着されている。スペーサー１０４は一本の丸鋼を屈曲させて三角状の複数の山が形成されたものであり、スペーサー１０４の頂部はスラブ型枠基材１０３の上方に突設されている。複数のスペーサー１０４は一定の間隔をあけて配列されており、このスペーサー１０４の上方にはスペーサー１０４と直交する方向に延在するスラブ主筋１０５がそれぞれ載せられている。隣り合うスラブ主筋１０５同士は、スペーサー１０４の設置方向に延在する横補剛材１０６によって連結されている。横補剛材１０６はスラブ主筋１０５の上端筋１０７下方に配置され、横補剛材１０６の両端部は上端筋１０７にそれぞれ接合されている。なお、図５、図６に示す符号１０８は下端筋、符号１０９はラチス材、符号１１０はスラブコンクリートである。
【００３２】
上記した構成からなるスラブ型枠１０２およびスラブ型枠１０２を使用したスラブ構造によれば、横補剛材１０６により隣り合うスラブ主筋１０５同士は連結されているため、スラブ主筋１０５は一定の間隔を保って配列され、作業過程によるスラブ主筋１０５の乱れは軽減される。これによって、スラブ１００の品質を向上させることができる。
【００３３】
〈第３の実施の形態〉
図７、図８はそれぞれ本発明の第３の実施の形態を説明する図面であり、図７は鉄筋コンクリート造のスラブ２００を形成するために梁２０１間に建て込まれるスラブ型枠２０２の主筋方向の断面図であり、図８はスラブ型枠２０２の配力筋方向の側面図である。
【００３４】
図７、図８に示すように、スラブ型枠２０２を形成する矩形板状のスラブ型枠基材２０３は梁２０１間に架設されており、スラブ型枠基材２０３内にはラチス状に屈曲されている二本一組のスペーサー２０４ａ、２０４ｂが平行に配置されている。スペーサー２０４ａ、２０４ｂの頂部はスラブ型枠基材２０３の上方にそれぞれ突設されており、スペーサー２０４ａ、２０４ｂの頂部は対向する方向にそれぞれ傾けられている。スペーサー２０４ａ、２０４ｂの頂部の間には、スペーサー２０４ａ、２０４ｂと平行するスラブ主筋２０５の上端筋２０６が介装されている。上端筋２０６はスペーサー２０４ａ、２０４ｂの頂部にそれぞれ接合されている。また、スペーサー２０４ａ、２０４ｂの中間部には、上端筋２０６に平行する下端筋２０７ａ、２０７ｂがそれぞれ接合されている。下端筋２０７ａ、２０７ｂとスラブ型枠基材２０３との間には所定のかぶり厚さが確保されている。また、上端筋２０６のピッチは下端筋２０７ａ、２０７ｂのピッチよりも大きく、一本の上端筋２０６と二本の下端筋２０７ａ、２０７ｂとは千鳥に配筋されている。なお、図７、図８に示す符号２０８はスラブコンクリートである。
【００３５】
上記した構成からなるスラブ型枠２０２およびスラブ型枠２０２を使用したスラブ構造によれば、下端筋２０７ａ、２０７ｂのかぶり厚さはスペーサー２０４ａ、２０４ｂによって確保されるとともに、上端筋２０６および下端筋２０７ａ、２０７ｂは、ラチス状に形成されたスペーサー２０４ａ、２０４ｂによって撓みに対する強さが増大する。これによって、スラブ主筋２０５の乱れを抑止することができるとともに、上端筋２０６および下端筋２０７ａ、２０７ｂの径の太さを小さくすることができ、スラブ型枠２０２を軽量化することができる。
【００３６】
〈第４の実施の形態〉
図９、図１０はそれぞれ本発明の第４の実施の形態を説明する図面であり、図９は鉄筋コンクリート造のスラブ３００を形成するために梁３０１間に建て込まれるスラブ型枠３０２の主筋方向の断面図であり、図１０はスラブ型枠３０２の配力筋方向の側面図である。
【００３７】
図９、図１０に示すように、スラブ型枠３０２を形成する矩形板状のスラブ型枠基材３０３は梁３０１間に架設されており、スラブ型枠基材３０３内には、複数のスペーサー３０４の脚部がそれぞれ定着されている。また、スラブ型枠基材３０３の底面には、亜鉛めっきが施された鋼板３０５が被覆されている。鋼板３０５は波型に形成されており、鋼板３０５の上面にはスペーサー３０４の脚部が接合されている。なお、図９、図１０に示す符号３０６はスラブ主筋、符号３０７は上端筋、符号３０８は下端筋、符号３０９はラチス材、符号３１０はスラブコンクリートである。
【００３８】
上記した構成からなるスラブ型枠３０２およびスラブ型枠３０２を使用したスラブ構造によれば、スラブ型枠基材３０３の底面に鋼板３０５が被覆されており、補剛されているため、スラブ型枠基材３０３の剪断および撓みに対する強度は増大する。これによって、スラブ３００の厚さが厚くスラブコンクリート３１０の重量が増大した場合やスラブ主筋３０６の鉄筋重量が増大した場合にも対応することができる。また、梁３０１間が大スパンの場合にもスラブ型枠基材３０３は撓むことなくスラブ３００を成形することができる。
【００３９】
以上、本発明に係るスラブ型枠およびスラブ構造の第１、第２、第３および第４の実施の形態について説明してきたが、本発明は上記した実施の形態に限定されるものではなく、その趣旨を逸脱しない範囲で適宜変更可能である。例えば、上記した実施の形態では鉄筋コンクリート造或いは鉄骨鉄筋コンクリート造の梁１、１０１、２０１、３０１で囲まれたスパンにスラブ２、１００，２００，３００が形成される場合について説明したが、本発明は、図１１、図１２に示すように、鉄骨梁４００で囲まれたスパンにスラブ型枠４０１を架設して、スラブ４０２を形成してもよい。この場合、スラブ型枠４０１を形成するスラブ型枠基材４０３の端部が鉄骨梁４００の上フランジの上面に載せられ、スラブ主筋４０４の両端部に設けられている鉄筋材からなる端部材４０５の下端部は上フランジの上面に当接される。また、スラブ４０２と鉄骨梁４００との接合部には端部定着筋４０６或いはジョイント筋４０７が配筋される。
【００４０】
また、上記した実施の形態ではスラブ型枠４、１０２、２０２、３０２は両端部を梁１、１０１、２０１、３０１に載せ掛けることで支持されているが、本発明は、例えば梁間のスパンが長い場合などにはスラブ型枠４、１０２、２０２、３０２の下に中間支保工を配置して、スラブ型枠４、１０２、２０２、３０２の中間部を支持してもよい。これによって、スラブ型枠４、１０２、２０２、３０２の撓みを軽減することができる。
【００４１】
【発明の効果】
以上のように説明した本発明に係るスラブ型枠およびスラブ構造によれば、スラブ型枠基材は断熱材からなるため、スラブ底に断熱材を貼り付ける手間は省略され、工期短縮を図ることができる。また、上部がスラブコンクリート内に定着するスペーサーの下部はスラブ型枠基材に定着されているため、スラブ型枠基材とスラブコンクリートとはスペーサーを介して一体に形成され、スラブ型枠基材がスラブコンクリートから剥離することは抑止することができる。
【図面の簡単な説明】
【図１】本発明に係るスラブ型枠およびスラブ構造の第１の実施の形態を説明するための主筋方向の全体断面図である。
【図２】本発明に係るスラブ型枠およびスラブ構造の第１の実施の形態を説明するための配力筋方向の全体断面図である。
【図３】本発明に係るスラブ型枠およびスラブ構造の第１の実施の形態を説明するための主筋方向の断面図である。
【図４】本発明に係るスラブ型枠およびスラブ構造の第１の実施の形態を説明するための配力筋方向の側面図である。
【図５】本発明に係るスラブ型枠およびスラブ構造の第２の実施の形態を説明するための主筋方向の断面図である。
【図６】本発明に係るスラブ型枠およびスラブ構造の第２の実施の形態を説明するための配力筋方向の側面図である。
【図７】本発明に係るスラブ型枠およびスラブ構造の第３の実施の形態を説明するための主筋方向の断面図である。
【図８】本発明に係るスラブ型枠およびスラブ構造の第３の実施の形態を説明するための配力筋方向の側面図である。
【図９】本発明に係るスラブ型枠およびスラブ構造の第４の実施の形態を説明するための主筋方向の断面図である。
【図１０】本発明に係るスラブ型枠およびスラブ構造の第４の実施の形態を説明するための配力筋方向の側面図である。
【図１１】本発明に係るスラブ型枠およびスラブ構造のその他の実施の形態を説明するための主筋方向の全体断面図である。
【図１２】本発明に係るスラブ型枠およびスラブ構造のその他の実施の形態を説明するための配力筋方向の全体断面図である。
【符号の説明】
２、１００，２００，３００、４０２    スラブ
４、１０２、２０２、３０２、４０１    スラブ型枠
７、１０３、２０３、３０３    スラブ型枠基材
８、１０４、２０４ａ、２０４ｂ、３０４    スペーサー
９、１０５、２０５、３０６    スラブ主筋
１０、１０７、２０６、３０７    上端筋
１１、１０８、２０７ａ、２０７ｂ、３０８    下端筋
１２、１０９、３０９    ラチス材
２１、１１０、２０８、３１０    スラブコンクリート
１０６    横補剛材
３０５    鋼板
【図１】
2004270259.tif 000003
【図２】
2004270259.tif 000004
【図３】
2004270259.tif 000005
【図４】
2004270259.tif 000006
【図５】
2004270259.tif 000007
【図６】
2004270259.tif 000008
【図７】
2004270259.tif 000009
【図８】
2004270259.tif 000010
【図９】
2004270259.tif 000011
【図１０】
2004270259.tif 000012
【図１１】
2004270259.tif 000013
【図１２】
2004270259.tif 000014